(57)【要約】【課題】複数の電池が電源基板に対して並列接続されているので、電池を電源として用いることで輸液動作を行う際に、電池に問題が生じても患者に対して輸液動作を継続して行うことができる輸液ポンプを提供する。【解決手段】ケース１１と、ケース１１に配置されて薬液を送出するための輸液送り部３１を有する輸液ポンプ１０は、ケース１１内には、メイン基板４００と、複数の電池と、メイン基板と接続され、しかも複数の電池Ｂ１、Ｂ２が並列接続されている電源基板５００とを有する。【選択図】図５
2012187129.tif 000002
【特許請求の範囲】
【請求項１】
ケースと、前記ケースに配置されて薬液を送出するための輸液送り部を有する輸液ポンプであって、
前記ケース内には、メイン基板と、複数の電池と、前記メイン基板と接続されしかも前記複数の電池が並列接続されている電源基板と、
を有することを特徴とする輸液ポンプ。
【請求項２】
前記電源基板には、各前記電池のプラス極に接続されたプラス側の複数の電気コネクタと、各前記電池のマイナス極に接続されたマイナス側の複数の電気コネクタを有することを特徴とする請求項１に記載の輸液ポンプ。
【請求項３】
複数の前記電池のいずれも使用できない状態になった時に、複数の前記電池に代えて電源基板に接続される内蔵電池を有することを特徴とする請求項１または請求項２に記載の輸液ポンプ。
【請求項４】
前記メイン基板と前記電源基板とは配線ケーブルにより接続され、
前記メイン基板の電極には複数の前記配線ケーブルの第１端部が接続されており、
前記電源基板には複数の電気コネクタが配置され、各前記配線ケーブルの第２端部が、前記電源基板の各前記電気コネクタに、それぞれ着脱可能に接続されていることを特徴とする請求項１ないし請求項３のいずれかに記載の輸液ポンプ。
【請求項５】
前記配線ケーブルの前記第１端部は、前記メイン基板の前記電極に対して半田付けにより接続されていることを特徴とする請求項４に記載の輸液ポンプ。
【請求項６】
前記ケースは、前筐体と後筐体からなり、前記メイン基板は前記前筐体に配置され、前記電源基板は前記後筐体に配置されていることを特徴とする請求項１ないし請求項５のいずれかに記載の輸液ポンプ。
【発明の詳細な説明】
【技術分野】
【０００１】
本発明は、体内に薬液を注入するための携帯型の輸液ポンプに関する。
【背景技術】
【０００２】
例えば、薬液を患者に投入するために使用する医療機器としては、例えば輸液ポンプが知られており、この輸液ポンプは、患者に対して時間当たり薬液を決められた量だけ長時間かけて注入するのに広く使用されている。このような輸液ポンプのうち、例えば、医療機関だけでなく、一般の家庭において在宅でも使用できるようにコンパクトに形成した携帯型の輸液ポンプが知られている（特許文献１参照）。特許文献１の携帯型の輸液ポンプは、外部から導入される薬液を通す可撓性の輸液チューブを着脱式のカセットに導く構成とされている。
【０００３】
具体的には、該着脱式のカセットのケース内に可撓性の輸液チューブ（以下、「チューブ」と言う。）を導入し、このケースから一部露出させたチューブに対して、回転ローラを押しつけることにより、輸液チューブに蠕動様運動を与えて、輸液チューブから薬液を所定の流速（ｍＬ／ｈ）で注液を行なうようになっている。
【先行技術文献】
【特許文献】
【０００４】
【特許文献１】特表平１１−５０６３５５号公報
【発明の概要】
【発明が解決しようとする課題】
【０００５】
ところで、特許文献１の携帯型の輸液ポンプのケースには、通常、制御部等が配置されているメイン基板と、このメイン基板の制御部等に対して電源を供給する電源基板が収容されており、電源基板側には乾電池のような電池が交換可能に電気的に接続されている。この種の携帯型の輸液ポンプは、主にこの電池を電源として用いることにより輸液動作を行うのであるが、この電池が故障したり放電してしまうと、直ちに輸液動作が停止するおそれがあるので、輸液ポンプは、患者に対して時間当たり薬液を決められた量だけ長時間かけて注入することができなくなる可能性がある。
そこで、本発明は、電池を電源として用いることで輸液動作を行う際に、電池に問題が生じても患者に対して輸液動作を継続して行うことができる輸液ポンプを提供することを目的とする。
【課題を解決するための手段】
【０００６】
本発明の輸液ポンプは、ケースと、前記ケースに配置されて薬液を送出するための輸液送り部を有する輸液ポンプであって、前記ケース内には、メイン基板と、複数の電池と、前記メイン基板と接続されしかも前記複数の電池が並列接続されている電源基板と、を有することを特徴とする。
上記構成によれば、複数の電池が電源基板に対して並列接続されているので、電池を電源として用いることで輸液動作を行う際に、いずれかの電池に問題が生じても、他方の電池を利用することにより、患者に対して輸液動作を継続して行うことができる。
【０００７】
好ましくは、前記電源基板には、各前記電池のプラス極に接続されたプラス側の複数の電気コネクタと、各前記電池のマイナス極に接続されたマイナス側の複数の電気コネクタを有することを特徴とする。
上記構成によれば、電源基板と各電池のプラス極とマイナス極の間では、それぞれ電気接続の２重化を図っているので、電気接続の２重化を図っていない場合に比べて、電池と電源基板との間の電気的接続が切れることを有効に防止でき、信頼性をさらに向上できる。
【０００８】
好ましくは、複数の前記電池のいずれも使用できない状態になった時に、複数の前記電池に代えて電源基板に接続される代替の内蔵電池を有することを特徴とする。
上記構成によれば、複数の電池が使用できなくなっても、これらの電池に代えて代替の内蔵電池を用いることで、患者に対して時間当たり薬液を決められた量だけ長時間かけて注入する輸液動作を継続して行うことができる。
好ましくは、前記メイン基板と前記電源基板とは配線ケーブルにより接続され、前記メイン基板の電極には複数の前記配線ケーブルの第１端部が接続されており、前記電源基板には複数の電気コネクタが配置され、各前記配線ケーブルの第２端部が、前記電源基板の各前記電気コネクタに、それぞれ着脱可能に接続されていることを特徴とする。
上記構成によれば、メイン基板と電源基板が相対的に動いてもメイン基板と電源基板との間の配線接続信頼性を向上し、しかもメンテナンスする際には、各電気コネクタから各配線ケーブルの第２端部を外すことでメイン基板と電源基板との間の接続を取り外してメイン基板と電源基板とを電気的に分離することでメンテナンス作業性を向上できる。
【０００９】
好ましくは、前記配線ケーブルの前記第１端部は、前記メイン基板の前記電極に対して半田付けにより接続されていることを特徴とする。
上記構成によれば、配線ケーブルの第１端部とメイン基板の電極との接続を、半田付けを用いて行っているので、接続信頼性を上げることができる。
【００１０】
好ましくは、前記ケースは、前筐体と後筐体からなり、前記メイン基板は前記前筐体に配置され、前記電源基板は前記後筐体に配置されていることを特徴とする。
上記構成によれば、前筐体から後筐体を外してメンテナンスを行う際に、前筐体のメイン基板と後筐体の電源基板との接続を外すことで、メンテナンス作業を容易に行える。
【発明の効果】
【００１１】
本発明は、複数の電池が電源基板に対して並列接続されているので、電池を電源として用いることで輸液動作を行う際に、電池に問題が生じても患者に対して時間当たり薬液を決められた量だけ長時間かけて注入する輸液動作を継続して行うことができる輸液ポンプを提供することができる。
【図面の簡単な説明】
【００１２】
【図１】本発明の輸液ポンプの好ましい実施形態を示す概略斜視図である。
【図２】図１の輸液ポンプのカセット収納部のカバーを開いた様子を示す概略正面図である。
【図３】図１の輸液ポンプのカセット収納部のカバーを開いて、カセットを収容する様子を示す概略斜視図である。
【図４】輸液ポンプの電気的な構成を示すブロック図である。
【図５】メイン基板と電源基板の一例を示す図である。
【図６】図５に示すメイン基板と電源基板の間における配線構造例を示す斜視図である。
【図７】本発明の輸液ポンプの動作例を示すフロー図である。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の医療機器である携帯型の輸液ポンプのカセット収納部のカバー（透明）を閉じた概略斜視図であり、図２はそのカセット収納部のカバーを開いた状態を示す概略正面図、図３は輸液ポンプのカセット収納部のカバーを開き、カセットを収納した状態を示す概略斜視図である。
図１から図３に示す輸液ポンプ１０は、例えば、略矩形の本体（筐体）１１を有している。本体１１は、前筐体４９と後筐体４４を有する。本体１１は、輸液ポンプ１０の構成物を収容するためのケースであり、好ましくは、耐薬品性、耐衝撃性を有する熱可塑性合成樹脂、例えばハイインパクトスチロールやＡＢＳ樹脂で形成されている。
【００１４】
図１に示すように、本体１１は、本体１１の上面側のほぼ半分程度の面積を閉めるように、開閉可能なカバー１２を有しており、該カバー１２を、ヒンジ１３を中心として回動可能として開閉できる。カバー１２は、図示しない付勢手段、例えば、ヒンジ１３の軸周りにトーションコイル等を配設することにより、図２と図３に示すように、常時開方向に付勢されている。カバー１２を閉じて押し込むことにより、カバー１２は本体１１側の図示しないラッチ等に係合されるようになっており、本体１１の側部外縁に突出する解除ボタン１６，１６を、矢印方向に手指にて押し込むことにより、該ラッチ等が解除されてカバー１２を開けることができる。
【００１５】
図１の前筐体４９における符号１７は、開始停止スイッチであり、この開始停止スイッチ１７は、図１において横方向に「停止―開始」のスライド操作をすることができる。符号１８は液晶表示装置等で形成した表示部であり、運転状態や報知情報等を表示するようになっている。これらの他に、本体１１は、図示しないモード選択スイッチ等を備えることができる。
前筐体４９には、発光ダイオードランプのような点灯表示部ＬＰが、表示部１８の付近に配置されている。この点灯表示部ＬＰは、例えば通常動作時は緑色で注入速度に応じた点滅または点灯で、異常時は赤色で点滅また点灯することにより輸液ポンプ１０の動作状況を、例えば患者あるいは周囲の家族の人が目視で分かるようになっている。
また、前筐体４９の背面には、内蔵されたブザー８８とスピーカ８９からの音が使用者に聞き取れるように放音孔が配置されている。ブザー８８は警報内容を警報音で報知でき、スピーカ８９は警報内容を鳴動することで音声で報知する機能を有する。
【００１６】
図２と図３に示すように、本体１１からカバー１２を開くと、カセット収納部１５が露出するようになっている。カセット収納部１５は、本体１１の厚みの約半分程度の寸法で形成された空間であり、この空間であるカセット収納部１５には、図３に示すように、輸液輸液チューブ２１を引きこみかつ導出するためのカセット２０を着脱可能にセットすることができるようになっている。
【００１７】
本体１１のカセット収納部１５内には、図１から図３には図示していないが駆動部としてのモータが配置されている。また、カセット収納部１５上には、輸液送り部としてのロータユニット３１と、閉塞検出部８３が配置されている。このモータの出力軸からの駆動力が、ロータユニット３１に対して図示しない皿歯車等を介して伝達されることにより、ロータユニット３１が軸Ｌを中心にして回転する。
図２に示すように、このロータユニット３１の外周には、例えば、４か所以上の図示例では５つの回転ローラであるチューブ押圧部３１Ｒが設けられており、ロータユニット３１のチューブ押圧部３１Ｒが図２の矢印方向の回転することにより、順次図３に示す輸液チューブ２１を順次押圧して、輸液チューブ２１に対して蠕動様運動を付与することができる。このロータユニット３１は、外部から薬液を導入するための輸液チューブ２１に対して圧接し、この輸液チューブ２１に対して蠕動様運動をさせて、薬液を送出するための輸液送り部の一例である。本発明の実施形態では、ロータユニット３１を用いて蠕動様運動させて薬液を送出しているが、これに限らず、フィンガ方式で薬液を送出するようにしても良い。
【００１８】
図１から図３に示す上記閉塞検出部８３は、カセット２０がカセット収納部１５内に収納されたことを検出して、カセット２０の輸液チューブ２１の内部が閉塞されているか否かを検出する。この閉塞検出部８３には、カセット検出用の突起部材９９が設けられている。この突起部材９９は、図１と図２に示す付勢部材１３３の力により、カセット収納部１５内においてＣ方向に沿って突出している。しかし、図３に示すように、カセット２０がカセット収納部１５内に収納された状態では、突起部材９９は、図１と図２に示す付勢部材１３３の力に抗してＤ方向に押されることで、図２に示すスイッチ１３４がオンとなり、このスイッチ１３４のオン信号は制御部１００に通知されるようになっている。すなわち、閉塞検出部８３は、輸液チューブ２１内が閉塞されて輸液チューブ２１の直径が大きくなったことを検出することで、薬液が輸液チューブ２１内に通過していないことを制御部１００に通知するものである。
【００１９】
図２に示すように、カセット収納部１５には、このロータユニット３１の付近の上方位置に、第１のスライダ３２と、該第１のスライダ３２に隣接して第２のスライダ３３が配置されている。第１のスライダ３２と第２のスライダ３２はそれぞれ係止片を備えており、これら係止片は、付勢手段により常時矢印Ｃ方向に付勢されている。しかも、第１のスライダ３２と第２のスライダ３３のそれぞれ係止片は、後述するカセット２０がカセット収納部１５にセットされる際に矢印Ｄ方向に移動されて、カセット２０を保持するとともに、該カセット２０に内蔵された可撓性の輸液チューブ２１をロータユニット３１に対して押圧することができる。図２において、第２のスライダ３３の右方の下側には、カセット２０をカセット収納部１５に配置する際の目印となる傾斜部３４ａを有するマーク３４と、該マーク３４の下方にはカセット２０を装着する際のストッパとして機能する突起部３５が設けられている。
【００２０】
図３を参照して、カセット２０の構造例を説明する。
カセット２０は、合成樹脂で形成された図示のような横長のケース体である。輸液チューブ２１の一部分は、カセット２０内に収容されており、輸液チューブ２１は該ケース体の外縁に沿って矢印Ｆ方向から導入され、カセット２０の右端部でほぼＵ字状に曲折され、そして矢印Ｅ方向に導出されている可撓性チューブ（輸液チューブともいう。）である。該輸液チューブ２１に対しては、薬液が外部から矢印Ｆ方向に導入され、矢印Ｅ方向に導出され、輸液チューブ２１の該矢印Ｅ方向の延長には留置針などが接続されており、輸液チューブ２１内の薬液がこの留置針を通じて患者に対して輸液される。
【００２１】
図３に示すように、輸液チューブ２１内の輸液の移動を目視できるように、カバー１２とカセット２０は好ましくは透明部材で作られている。なお、カバー１２には切欠き部１９が設けられており、該切欠き部１９から輸液チューブ２１がカバー１２の外部に導出されるようになっている。
また、図３に示すように、カセット２０の下部の一端寄りには露出部２４が形成されており、該露出部２４はカセット２０の一部を切欠き、輸液チューブ２１の一部を外部に露出させている。この輸液チューブ２１の露出部２４には、ロータユニット３１のチューブ押圧部３１Ｒ（図２を参照）が押圧されることで、図３に示すように蠕動様運動が輸液チューブ２１に付与されるようになっている。
【００２２】
図３のカセット２０のほぼ中央部には、横に並んで２つの係合用スリット２２，２３が形成されており、これらスリット２２，２３はカセット２０のケース体を貫通している。
スリット２２，２３には、図２で説明した第１のスライダ３２と第２のスライダ３３がそれぞれ入り込むようになっている。そして、図３に示すように、カバー１２を矢印Ａ方向に閉じた際には、ヒンジ１３よりも該カバー１２の内側に設けられた当接部１４がカセット２０を押すことにより、該カセット２０がカセット収納部１５において矢印Ｂ方向に移動される。
【００２３】
このカセット２０の矢印Ｂ方向への移動により、各係合用スリット２２，２３に入り込んだ第１のスライダ３２と第２のスライダ３３の付勢方向（図２の矢印Ｃ方向）に働く付勢力に抗して、第１のスライダ３２と第２のスライダ３３を矢印Ｄ方向に移動させることができる。これにより、カセット２０は、カバー１２を閉止した状態においては、カバー１２の押圧部１４と第１のスライダ３２と第２のスライダ３３に挟まれて固定されるとともに、輸液チューブ２１はロータユニット３１側に押圧されている。
【００２４】
図３に示すカセット２０には、縦スリット２５ａ及び横スリット２５ｂを有する逆Ｌ字状の規制用スリット２５が形成されている。縦スリット２５ａにはストッパ２６が収容されており、そのストッパ２６の先端の当接部は付勢手段２６ａにより矢印Ｃ方向に常時押圧されており、カセット２０内の図示しない箇所で、輸液チューブ２１の一部を押し潰して輸液チューブ２１内の輸液の流れを止めている。横スリット２５ｂには、スライダ２９が配置されている。
図３のように、本体１１のカセット収納部１５内にカセット２０を収納してカバー１２を閉じると、カセット２０の横スリット２５ｂのスライダ２９が、ストッパ２６を付勢手段２６ａの力に抗して矢印Ｄ方向に押し込むことにより、ストッパ２６の先端部は輸液チューブ２１から離れる。これにより、輸液チューブ２１は開放されて輸液チューブ２１内の輸液の流れ止めは解除でき、輸液チューブ２１には輸液を導入でき、ロータユニット３１のチューブ押圧部３１Ｒの動きにより患者に対して輸液チューブ２１を通じて薬液を送液できる。このとき、送液される設定流量の範囲は、例えば５〜３００ｍＬ／ｈであり、輸液ポンプ１０の総重量は、電池を入れた状態で約３２０ｇである。
【００２５】
次に、図４を参照して、上述した輸液ポンプ１０の電気的な構成を説明する。図４は、輸液ポンプ１０の電気的な構成を示すブロック図である。
図４に示すブロック図では、本体１１の前筐体４９と後筐体４４と、カバー１２を示している。カバー１２の内側にはカセット２０とこのカセット２０の輸液チューブ２１が配置されることになる。後筐体４４には、ジャック７８と電源回路８０と、この実施形態では２本の電池（乾電池もしくは充電池）Ｂ１、Ｂ２が配置され、ジャック７８と電池Ｂ１、Ｂ２が電源回路８０に対して電気的に並列に接続されている。ジャック７８は、電源コネクタ１２７を介して、例えば１００Ｖの商用交流電源に接続可能である。電源コネクタ１２７は、１００Ｖの交流電源を所定の直流電圧に変換して電源回路８０に供給する。
【００２６】
図４に示すように、前筐体４９には、ロータユニット３１と、空液検出部８２と、閉塞検出部８３を備えている。ロータユニット３１は、ギア３１Ｇを介してモータＭに連結されており、モータＭはモータ駆動回路８１からの駆動信号により、ロータユニット３１を連続回転させることができる。回転検出回路８１Ｔは、モータＭの回転状態を検出して制御部１００にモータの回転状態信号を送る。電源回路８０は、モータ駆動回路１８と制御部１００とショックセンサ２００に電気的に接続されており、モータ駆動回路１８と制御部１００に対して電源供給を行う。
【００２７】
図４の空液検出部８２と閉塞検出部８３は制御部１００に電気的に接続され、空液検出部８２は、輸液チューブ２１内が薬液により満たされているか気泡が存在するかを検出して、制御部１００に通知する。閉塞検出部８３は、輸液チューブ２１が閉塞されて輸液チューブ２１の直径が大きくなったことを検出することで、薬液が輸液チューブ２１内に通過していないことを制御部１００に通知する。  
開始停止スイッチ１７は、開始停止検出回路８４に電気的に接続され、開始停止検出回路８４は、開始停止スイッチ１７が、図１に示す開始位置に位置されているか停止位置に位置されているかを検出して、その状態を制御部１００に通知する。制御部１００はマイクロコンピュータなどのＣＰＵとＣＰＵにより実行される装置全体の制御プログラムや各種データを記憶するＲＯＭとワークエリアとして測定データや各種データを一時的に記憶するＲＡＭなどを備え、各工程での処理、判断を行なう。メモリ部１１１は、制御部１００のＣＰＵ１１１に電気的に接続されている。メモリ部１１１は、ＣＰＵ１１０との間で情報を記憶したり、記憶した情報を読み出したりするもので、しかもメモリ部１１１はＣＰＵ１１０により処理すべきプログラムが記憶されているＲＯＭ（読み出し専用メモリ）をも含んでいる。
【００２８】
図４の表示部１８は、制御回路１８Ｔに電気的に接続され、点灯表示部ＬＰは、制御回路８５に電気的に接続されている。制御回路１８Ｔと制御回路８５は制御部１００に電気的に接続され、制御部１００の指令により、制御回路１８Ｔは表示部１８に必要な内容を表示させる。また、制御部１００の指令により、制御回路８５は点灯表示部１８を例えば点滅させて、患者に点滅により警報があることを報知することができる。
ブザー８８は、ブザー回路９０に電気的に接続され、スピーカ８９は、音声回路９１に電気的に接続されている。ブザー回路９０と音声回路９１は、制御部１００に電気的に接続されている。その他に、外部通信回路１０１が制御部１００に電気的に接続されている。
【００２９】
図４のブロック図に示すように、輸液ポンプ１０は、ショックセンサ２００と内部バッテリ２０１を有している。
図４に示すショックセンサ２００は、本体１１に加わる衝撃力を検出すためのセンサであり、例えば本体１１の前筐体４９内に配置されている。内部バッテリ２０１は、電源オフ時にショックセンサ２００に電源を供給するためのバックアップ用のバッテリであり、例えばボタン電池である。
【００３０】
図５は、メイン基板４００と電源基板５００を示す図である。
図５に示すメイン基板４００には、図４に示す前筐体４９側の制御部１００等の各要素が配置されており、電源基板５００には、図４に示す後筐体４４側の電源回路８０等の各要素が配置されている。メイン基板４００のサイズは、電源基板５００のサイズよりも大きい。図５に示す例示では、メイン基板４００は前筐体４９内に配置され、電源基板５００は後筐体４４内に配置されている。メイン基板４００と電源基板５００はそれぞれ長方形状の基板である。
【００３１】
図５に示す例示では、メイン基板４００と前筐体４９の一部分が図示され、電源基板５００の全部が図示されている。メイン基板４００には、制御部１００と音声回路９１、リセット回路３５０等が搭載されている。これに対して、電源基板５００には、電源回路８０のダイオード５９１とヒューズ５９２と、第１電気コネクタユニット５１０と、第２電気コネクタユニット５５０が搭載されている。
第１電気コネクタユニット５１０は、電源基板５００の第１縁部分５０１側に配置され、第２電気コネクタユニット５５０は、電源基板５００の第１縁部分５０１とは反対側の第２縁部分５０２側に配置されている。
【００３２】
図５に示す第１電気コネクタユニット５１０は、好ましくは４つ（プラス極側，マイナス極側にそれぞれ２つずつ）の電気コネクタ５１１，５１２，５１３，５１４により構成され、第２電気コネクタユニット５５０は、好ましくは４つ（プラス極側，マイナス極側にそれぞれ２つずつ）の電気コネクタ５５１，５５２，５５３，５５４により構成されている。
第１電気コネクタユニット５１０の一方の組の電気コネクタ５１１，５１２は、電気配線５２０により電気的に接続されている。同様にして、第１電気コネクタユニット５１０の他方の組の電気コネクタ５１３，５１４は、電気配線５２１により電気的に接続され、しかも電気的に接地されている。
これに対して、図５に示す第２電気コネクタユニット５５０の一方の組の電気コネクタ５５１，５５２は、電気配線５２２により電気的に接続されている。同様にして、第２電気コネクタユニット５５０の他方の組の電気コネクタ５５３，５５４は、電気配線５２３により電気的に接続されている。電気配線５２０と電気配線５２２は、ダイオード５９１とヒューズ５９２を介して接続されている。電気配線５２１と電気配線５２３は、接続されている。
第１電気コネクタユニット５１０，第２電気コネクタユニット５５０は、必ずしも２重化する必要はないが、２重化することで電気的接続状態の信頼性の向上を図ることができる。
【００３３】
図５に示すように、電気コネクタ５５１の電気配線５２４は、一方の電池Ｂ１のプラス極に対して電気的に接続されており、しかも電気コネクタ５５２の電気配線５２６は、他方の電池Ｂ２のプラス極に対して電気的に接続されている。また、電気コネクタ５５４の電気配線５２５は、一方の電池Ｂ１のマイナス極に対して電気的に接続されており、しかも電気コネクタ５５３の電気配線５２７は、他方の電池Ｂ２のマイナス極に対して電気的に並列に接続されている。すなわち、２本の電池Ｂ１と電池Ｂ２は、電気配線５２２と電気配線５２３に対して、２つの電気コネクタ５５１，５５２と２つの電気コネクタ５５３，５５４を用いて電気的に並列に接続されている（即ち電源が２重化されている）。
従って、通常の２本の電池を直列接続して配置する場合に比べて、電池Ｂ１あるいは電池Ｂ２のいずれか一方が故障したり放電してしまったとしても、携帯型の輸液ポンプ１０の輸液動作は、残りの稼働している電池Ｂ２（あるいは電池Ｂ１）を用いて継続させることができるメリットがある。
【００３４】
２本の電池Ｂ１と電池Ｂ２としては、例えば１．５Ｖの単３形乾電池あるいは単３形充電電池であり、起電力が低下した電池Ｂ１と電池Ｂ２は、それぞれ新しい電池に交換可能である。
図５に示すように、電源基板５００には、２本の電池Ｂ１、Ｂ２の他に、２本の電池Ｂ１、Ｂ２に代えて代替させるための内蔵電池ＩＢが配置されている。例えば、この代替用の内蔵電池ＩＢは、電気配線５２０と電気配線５２１に接続され、スイッチ５９９を有している。このスイッチ５９９は、ＣＰＵ１１０の指令によりオンオフ動作が可能である。
ＣＰＵ１１０は、２本の電池Ｂ１と電池Ｂ２の電圧の監視をしており、２本の電池Ｂ１と電池Ｂ２のいずれか一方が電圧低下や電池故障を起こした場合には、稼働している電池Ｂ２（あるいは電池Ｂ１）を用いて電気配線５２０，５２１に通電できるので、ＣＰＵ１１０は、スイッチ５９９をオフ状態のままにしておき、内蔵電池ＩＢから電気配線５２０，５２１に対して通電することはない。
これに対して、ＣＰＵ１１０が２本の電池Ｂ１と電池Ｂ２の両方の電圧低下や電池故障を検出した場合には、ＣＰＵ１１０は、２本の電池Ｂ１、Ｂ２は使用できないと判断して、スイッチ５９９をオフ状態からオン状態に切り換え操作することで、内蔵電池ＩＢが２本の電池Ｂ１、Ｂ２の使用に代えて、例えば３０分程度電気配線５２０，５２１に対して通電することで、輸液ポンプ１０は輸液動作が可能な構成になっている。
【００３５】
図５に示すメイン基板４００には、一例として制御部４００の昇圧回路３５１が、ＣＰＵ１１０とリセット回路３５０と音声回路９１に対して電気配線３５５を介して電気的に接続されている。この昇圧回路３５１は、仮に電池Ｂの電圧が低くても、電池Ｂの電圧を昇圧してＣＰＵ１１０とリセット回路３５０と音声回路９１に対して供給できるようになっている。この昇圧回路３５１と音声回路９１にはそれぞれコンデンサ３５３、３５４が接続されている。リセット回路３５０は、例えば昇圧回路３５１の電圧が所定の電圧になっていない場合に制御部１００をリセットし、輸液ポンプ１０の動作を安全に停止することができる。
メイン基板４００の縁部分４０１には、好ましくは４つ（プラス極側，マイナス極側にそれぞれ２つずつ）の電極パッド４１１，４１２，４１３，４１４が２つずつ並列に配列されている。２つの電極パッド４１１，４１２は、昇圧回路３５１に電気配線３６０を介して共に接続され、残りの２つの電極パッド４１３，４１４は、昇圧回路３５１に電気配線３６１を介して共に接続されている。コンデンサ３５３は電気配線３６０，３６１の間に接続され、しかも接地されている。
電極パッドは、必ずしも２重化する必要はないが、２重化することで電気的接続状態の信頼性の向上を図ることができる。
【００３６】
図５に示す電極パッド４１１，４１２は、電気コネクタ５１１，５１２に対して、それぞれ配線ケーブル６０１，６０２を介して接続されている。同様にして、電極パッド４１３，４１４は、電気コネクタ５１３，５１４に対して、それぞれ配線ケーブル６０３，６０４を介して接続されている。
図６は、図５に示すメイン基板４００と電源基板５００の間における配線構造例を示し、電極パッド４１１，４１２と電気コネクタ５１１，５１２と配線ケーブル（配線ハーネス）６０１，６０２の接続例を示す斜視図である。電極パッド４１３，４１４と電気コネクタ５１３，５１４と配線ケーブル（配線ハーネス）６０３，６０４の接続構造も、図６に示すように同様である。
【００３７】
図６に示す配線ケーブル６０１，６０２の導体線の第１端部６７０は、電極パッド４１１，４１２に対して半田付け６６０により電気的に機械的に接続されている。これに対して、配線ケーブル６０１，６０２の導体線の第２端部６７１には、オス型の接続端子６７２が取り付けられており、この接続端子６７２は、電気コネクタ５１１，５１２のメス型の接続端子６７３に対して着脱可能に接続されている。
同様にして、配線ケーブル６０３，６０４の導体線の第１端部６７０は、電極パッド４１３，４１４に対して半田付け６６０により電気的に接続されている。これに対して、配線ケーブル６０３，６０４の導体線の第２端部６７１には、オス型の接続端子６７２が取り付けられており、この接続端子６７２は、電気コネクタ５１３，５１４のメス型の接続端子６７３に対して着脱可能に接続されている。
【００３８】
このように、配線ケーブル６０１，６０２の導体線の第１端部６７０は、メイン基板４００側の電極パッド４１１，４１２に対して半田付け６６０により電気的に接続するとともに、配線ケーブル６０３，６０４の導体線の第１端部６７０は、メイン基板４００側の電極パッド４１３，４１４に対して半田付け６６０により電気的に接続することで、配線ケーブル６０１，６０２とメイン基板４００側との電気的な接続は、半田付けにより安定した電気接続状態を確保できる。
なお、メイン基板４００では、電極パッド４１１，４１２，４１３，４１４に対して半田付け６６０により接続する構造を採用しているが、メイン基板４００は電源基板５００に比べて広いので、半田付けする領域を簡単に確保できる。
【００３９】
そして、配線ケーブル６０１，６０２，６０３，６０４の導体線の第１端部６７０は、メイン基板４００側の電極パッド４１１，４１２，４１３，４１４に対して半田付け６６０により電気的に接続されている。このため、メイン基板４００側で電極パッドと半田付けを用いずに電気コネクタを用いる場合に、電気コネクタと配線ケーブルの導体線の第１端部６７０との接続作業を行う際に生じる恐れがある圧着不良を避けることができる。これにより、圧着不良により生じる恐れがある電気接触抵抗の増加を避けて、高電流時の電圧降下の発生を避けることができる。
【００４０】
また、図１に示す輸液ポンプ１０のメンテナンスは、前筐体４９と後筐体４４を分離して、内部のメイン基板４００と電源基板５００を露出して行うが、このメンテナンスの際には、図６に示す配線ケーブル６０１，６０２，６０３，６０４の導体線の接続端子６７２は、電気コネクタ５１１，５１２，５１３，５１４から容易に取り外すことができる。
これにより、メイン基板４００と電源基板５００は簡単に切り離すことができるので、メンテナンスをする際には、メイン基板４００と電源基板５００との間の配線を取り外して、メイン基板４００と電源基板５００とを電気的に機械的に分離できることでメンテナンス作業性を向上できる。
そして、患者が携帯型の輸液ポンプ１０を携帯しながら使用する際に、メイン基板４００と電源基板５００が相対的に動いても、メイン基板４００と電源基板５００との間の配線において接触不良状態や断線状態を防ぐことができる。
【００４１】
一般的に、患者や医療従事者は、携帯型の輸液ポンプを携帯して使用するが、メイン基板と電源基板には振動が加わるか摺動する力が加わるおそれがあることから、メイン基板と電源基板が相対的に動く現象が発生することがある。このようにメイン基板と電源基板が相対的に動くと、メイン基板と電源基板との間の配線ケーブルにおいて接触不良や断線のおそれが発生する。メイン基板と電源基板との間の配線ケーブルにおいて接触不良や断線すると、輸液ポンプは、患者に対して時間当たり薬液を決められた量だけ長時間かけて注入することができなくなる。
【００４２】
そこで、本発明の実施形態では、携帯型の輸液ポンプ１０を主に電池Ｂ１、Ｂ２で駆動させる場合に、並列接続配置された電池Ｂ１、Ｂ２に対して電源基板５００とメイン基板４００が確実に電気的に接続されていることが重要である。電源基板５００の第１電気コネクタユニット５１０は、一方の組の電気コネクタ５１１，５１２と他方の組の電気コネクタ５１３，５１４により構成されており、それぞれ電気接続の２重化を図っているので、電気接続の２重化を図っていない場合に比べて、メイン基板４００と電源基板５００との間の電気的接続状態の信頼性を向上できる。これにより、電気接続の２重化を図っているので、電源基板５００において、圧着不良により生じる恐れがある電気接触抵抗の増加を避けて、高電流時の電圧降下の発生を避けることができる。
【００４３】
しかも、電源基板５００の第２電気コネクタユニット５５０は、一方の組の電気コネクタ５５１，５５２と他方の組の電気コネクタ５５３，５５４により構成されている。すなわち、電源基板５００には、電池Ｂ１、Ｂ２のプラス極にそれぞれ電気的に並列に接続されたプラス側の複数の電気コネクタ５５１，５５２と、電池Ｂ１、Ｂ２のマイナス極にそれぞれ電気的に並列に接続されたマイナス側の複数の電気コネクタ５５３，５５４を有する。これにより、電源基板５００と、並列接続配置の電池Ｂ１、Ｂ２のプラス極とマイナス極の間では、それぞれ電気接続の２重化を図っているので、電気接続の２重化を図っていない場合に比べて、電池Ｂ１、Ｂ２と電源基板５００との間の電気的接続状態の信頼性をさらに向上できる。
【００４４】
次に、図７を参照して、本発明の携帯型の輸液ポンプの動作例を説明する。図７に示す本発明の携帯型の輸液ポンプの動作例を示すフロー図である。
図７に示すステップＳＴ１では、図５に示す制御部１００のＣＰＵ１１０は、２本の電池Ｂ１と電池Ｂ２の電圧の監視をしている。ステップＳＴ２のように２本の電池Ｂ１と電池Ｂ２のいずれも電圧低下や電池故障を起こしておらず正常動作状態である場合には、ステップＳＴ１に戻り、２本の電池Ｂ１と電池Ｂ２の電圧の監視を続け、輸液動作が終了する時はステップＳＴ８を経てステップＳＴ９で終了する。
【００４５】
ステップＳＴ３では、２本の電池Ｂ１と電池Ｂ２のいずれか一方が電圧低下や電池故障を起こした場合には、ステップＳＴ４において、ＣＰＵ１１０は、図４に示す音声回路９１に指令を与えて、音声回路９１はスピーカ８９を通じて、「電池Ｂ１と電池Ｂ２のいずれか一方が使えないが、輸液動作を継続中である。」旨を音声で警報を出すが、輸液ポンプ１０の輸液動作自体はそのまま継続させる。ステップＳＴ４では、輸液動作を終了する時はステップＳＴ８を経てステップＳＴ９で終了する。
【００４６】
ステップＳＴ５において、２本の電池Ｂ１と電池Ｂ２の両方が電圧低下や電池故障を起こした場合には、ステップＳＴ６に移る。ステップＳＴ６では、図５のＣＰＵ１１０が２本の電池Ｂ１と電池Ｂ２の両方の電圧低下や電池故障を検出した場合に、ＣＰＵ１１０は、２本の電池Ｂ１、Ｂ２は使用できないと判断して、図５のスイッチ５９９をオフ状態からオン状態に切り換え操作し、内蔵電池ＩＢで電源供給を行なう。
【００４７】
これにより、２本の電池Ｂ１、Ｂ２に代えて、代替用の内蔵電池ＩＢが２本の電池Ｂ１、Ｂ２に代えて、電気配線５２０，５２１に対して通電する。このため、複数の電池Ｂ１、Ｂ２が共に使用できなくなっても、これらの電池Ｂ１、Ｂ２に代えて、代替の内蔵電池ＩＢを用いることで、輸液ポンプ１０は、患者に対して時間当たり薬液を決められた量だけ長時間かけて注入する輸液動作を継続して行うことができる。
この場合には、ステップＳＴ７において、ＣＰＵ１１０は、図４に示す音声回路９１に指令を与えて、音声回路９１はスピーカ８９を通じて、「２本の電池Ｂ１と電池Ｂ２の両方が使えないが、内蔵電池ＩＢを使用して、３０分程度輸液動作を継続中である。」旨を音声で警報を出すが、輸液ポンプ１０の輸液動作自体はそのまま継続させる。ステップＳＴ７では、輸液動作を終了する時はステップＳＴ８を経てステップＳＴ９で終了する。
【００４８】
ステップＳＴ５において、２本の電池Ｂ１と電池Ｂ２の両方が電圧低下や電池故障を起こしていない場合に、輸液動作を終了する時はステップＳＴ８を経てステップＳＴ９で終了する。
なお、ステップＳＴ４、ＳＴ７における警報としては、スピーカ８９を用いた音声による警報と図４に示す圧電ブザー８８を用いて警報音を出すようにしたり、図４に示す表示部１８にその警報の内容をマークもしくは文字で表示するようにしても良い。
すでに説明したように、図５に示す電池Ｂ１と電池Ｂ２は、電気配線５２２と電気配線５２３に対して電気コネクタ５５１〜５５４を用いて並列に接続されている。従って、従来の２本の電池を直列接続して配置する場合に比べて、２本の電池Ｂ１あるいは電池Ｂ２のいずれかが故障したり放電してしまったとしても、携帯型の輸液ポンプ１０の輸液動作は、残りの稼働している電池Ｂ２（あるいは電池Ｂ１）を用いて継続させることができるメリットがある。この場合に、使用できない電池Ｂ１（あるいは電池Ｂ２）を、新たな電池と交換すれば、輸液ポンプ１０は再び電池Ｂ１、Ｂ２を用いて輸液動作を継続できる。
【００４９】
また、２本の電池Ｂ１あるいは電池Ｂ２の両方が故障したり放電してしまったとしても、携帯型の輸液ポンプ１０の輸液動作は、内蔵電池ＩＢの仕様に切り替えることにより、予め定めた時間だけ継続させることができる。この継続している時間の間に、使用できない２本の電池Ｂ１、Ｂ２を新たな電池に交換すれば、再び新たな電池Ｂ１、Ｂ２を用いて輸液動作を継続できる。
このように、複数の電池Ｂ１、Ｂ２が、電源基板５００に対して電気的に並列接続されているので、電池Ｂ１、Ｂ２を電源として用いることで輸液動作を行う際に、使用している電池に問題が生じても、すなわち電池Ｂ１、Ｂ２のいずれか一方、電池Ｂ１、Ｂ２の両方が使用できなくなったとしても、患者に対して時間当たり薬液を決められた量だけ長時間かけて注入する輸液動作を継続して行うことができる。
【００５０】
メイン基板と電極基板との接続は、図５に示すような第１電気コネクタユニット，配線ケーブルを用いずに、複数の配線パターンと複数の電極パットを用いて、半田付けで電気的に接続し、メイン基板と電極基板を一体化させてもよい。
【００５１】
ところで、本発明は上記実施形態に限定されず、本発明は様々な修正と変更が可能であり、特許請求の範囲に記載された範囲で種々の変形が可能である。
本発明の実施形態である携帯型の輸液ポンプ１０では、図５に示すように、第１電気コネクタユニット５１０が２つの電気コネクタ５１１，５１２と２つの電気コネクタ５１３，５１４により構成され、第２電気コネクタユニット５５０が２つの電気コネクタ５５１，５５２と２つの電気コネクタ５５３，５５４により構成されている。しかし、これに限らず、第１電気コネクタユニット５１０が３つ以上の電気コネクタと３つ以上の電気コネクタにより構成され、第２電気コネクタユニット５５０が３つ以上の電気コネクタと３つ以上の電気コネクタにより構成するようにしても良い。
【符号の説明】
【００５２】
１０・・・輸液ポンプ（医療機器の一例）、１１・・・本体（ケースともいう）、３１・・・輸液送り部としてのロータユニット、４４・・・後筐体、４９・・・前筐体、４００・・・メイン基板、４１１〜４１４・・・電気パッド、５００・・・電源基板、５１０・・・第１電気コネクタユニット、５５０，７５０・・・第２電気コネクタユニット、５１１〜５１４・・・電気コネクタ、５５１〜５５４・・・電気コネクタ、６７０・・・配線ケーブルの第１端部、６７１・・・配線ケーブルの第２端部、７５１，７５２・・・電気コネクタ、６０１〜６０４・・・配線ケーブル、６６０・・・半田付け、Ｂ１、Ｂ２・・・電池、ＩＢ・・・内蔵電池
【図１】
2012187129.tif 000003
【図２】
2012187129.tif 000004
【図３】
2012187129.tif 000005
【図４】
2012187129.tif 000006
【図５】
2012187129.tif 000007
【図６】
2012187129.tif 000008
【図７】
2012187129.tif 000009